(57)【要約】【課題】括り輪の絞り動作の確実性を高め、また、突出体の直進性を確保でき、しかも括り輪のどの位置に動物の足が入っても対応でき、括り終わりの際に括りワイヤを装置本体から分離できる。【解決手段】括りワイヤ分離機構は、筒本体１１内のばね体１２の一端に設置する突出体１３を、ばね体１２の伸長力によって、突き出して括り輪１５を絞る方式の動物捕獲装置であり、筒本体１１の外部に設ける括りワイヤ１４を分離させる機構であって、括りワイヤ１４を挿通させ滑動可能とするローラ構造の滑動部３を備え、位置決め及び回動可能かつ抜き差し可能な着脱自在状態に係合するセット部４を備える分離体１と、セット部４と係合可能な係合部５を上端に備え、突出体１３に対して着脱自在であり、筒本体１１及びばね体１２の軸心に設置され、長さを括り輪１５の設置径Ｄとする案内体２とで構成される。【選択図】  図１
2006101796.tif 000002
【特許請求の範囲】
【請求項１】
筒本体内に圧縮コイルばねのばね体を設け、前記ばね体の一端に設置する突出体を、前記ばね体の伸長時の復元力によって軸線方向に突き出し、前記突出体の突出動作によって括りワイヤの括り輪を絞る方式の動物捕獲装置であり、前記筒本体の外部に設けられる前記括りワイヤを前記動物捕獲装置から動物捕獲時に分離させる括りワイヤ分離機構において、
前記括りワイヤを挿通させ滑動可能とする滑動部を備え、後記案内部材に対して位置決め及び回動可能かつ抜き差し可能な着脱自在状態に係合するセット部を備える分離部材と、
前記セット部と係合可能な係合部を上端に備え、前記突出体に対して着脱自在であり、前記筒本体及びばね体の軸心位置に設けられ、長さが前記括り輪の設置径と同程度から２倍の間の長さに設定される案内部材とで、
構成されることを特徴とする括りワイヤ分離機構。
【請求項２】
上記分離部材の滑動部がローラ構造であり、上記セット部が前記滑動部の下端に棒状に形成されて上記係合部に対して挿入され、上記案内部材がパイプ材であり、前記案内部材の上端部分が鍔状に形成されて上記突出体の中心孔にて係止され、上記係合部が前記案内部材のパイプ内側部分に形成されること、を特徴とする請求項１に記載される括りワイヤ分離機構。
【請求項３】
上記セット部が９０度乃至１８０度の角度に曲げられる棒体であり、上記筒本体が鉛直線に対して前記曲げ角度に設置されること、を特徴とする請求項１又は２に記載される括りワイヤ分離機構。
【請求項４】
上記案内部材の長さの異なる複数個が用意され、上記括り輪の設置径に対応する長さが選択使用されること、を特徴とする請求項１，２又は３に記載される括りワイヤ分離機構。
【発明の詳細な説明】
【技術分野】
【０００１】
本発明は、ばね体の伸長する際の復元力によって括り輪を絞る動物捕獲装置であって、括りワイヤが装置本体の外部に配設される場合に利用され、動物を捕獲するため括り輪が絞り終わった際に装置本体から括りワイヤを分離する括りワイヤ分離機構に関する。
【背景技術】
【０００２】
従来の一般的な動物捕獲装置では、一例として特許文献１に開示されるように、筒本体内（ケーシング本体）に圧縮コイルばねのばね体（コイルバネ）を設け、ばね体の一端に突出体（キャップ）を設け、括りワイヤを筒本体とばね体の内部軸心に挿通させる構成である。ここで、ばね体の伸長する際の復元力によって軸線方向に突出体を突き出し、この突出体の突出動作によって括りワイヤ（ワイヤ）の括り輪（トラップ）を絞る方式を採用している。
【０００３】
しかし、この方式では括りワイヤが筒本体等の内部に位置するため、捕獲後の動物が暴れる場合、立ち木等に筒本体等がぶつけられて破壊され、一回限りの消耗品となってしまい再使用不能となっている。このため、特許文献２に開示されるように、少なくとも括りワイヤ（ロープ）を筒本体（支柱）の外に設けるタイプがある。また、特許文献３に開示されるように、筒本体（帯板，底板，ガイド板）の外に括りワイヤ（ロープ）を設けるだけでなく、ばね体（スプリング）の一端に設けた係合部に括りワイヤを挿通し、係合部をばね体から必要な時に分離可能としている。更に特許文献４に開示される場合では、括りワイヤ（ワイヤ）が動物捕獲時に筒本体（本体）から分離可能としている。
【０００４】
【特許文献１】特開２００２−６５１３９号公報、図１，図３，図４参照
【特許文献２】特公平７−９５９０８号公報、図１，図２，図４参照
【特許文献３】特公平７−６３２９０号公報、図３参照
【特許文献４】特許第３５４４９０９号公報、図１，図２参照
【発明の開示】
【発明が解決しようとする課題】
【０００５】
従来の特許文献１に見られる筒本体等が破壊される対策として、特許文献２，３は、括りワイヤを筒本体の外に設けることである程度改善されるが、不十分である。すなわち、特許文献２では、突出体（頭部）に固定された支持具のリング部に括りワイヤ（ロープ）が挿通状態であり、動物捕獲時に括りワイヤと突出体とは分離しないため、ばね体を介して筒本体も繋がっている。このため、筒本体等が損傷する可能性がある。特許文献３では、動物捕獲時で必要な場合、係合部をばね体から強制的に分離して損傷防止を図れるが、自動的に分離しないため、防止策としては不十分である。これに対して、特許文献４では、動物捕獲時に簡単に分離できるように、突出体（頭部）の係止板に設けた略鞍状のワイヤガードに対し、括りワイヤ（ワイヤ）が摺動可能に係合している。しかし、ワイヤガードが略鞍状であり、上方が開放状態のために括りワイヤの先端の括り輪を絞る時の摺動保持が不十分であり、括り輪を絞る動作が不確実となる。
【０００６】
また、括りワイヤが筒本体の外に配設される構造に共通する問題がある。すなわち、括りワイヤが筒本体とばね体の軸心に位置しないため、ばね体が伸長時に踊ってしまう。このばね体の踊りによって、突出体の直進性が悪くなり、真直ぐに突出できずに括り輪を確実に絞ることができない問題である。特許文献３では、ばね体に支えがなく、この問題が解決されていない。他方、特許文献２は中芯，中筒を設け、特許文献４では導棒を設けて突出体の直進性の向上を図っている。しかし、特許文献２では構造が複雑であり高コストとなっており、特許文献４は構造簡単ではあるが、ばね体内部に導棒が自由状態で単に入っているだけであるため信頼性が低くなっている。
【０００７】
その他の問題として、単に突出体の直進性を高めるだけでは、実際に動物が捕獲された時の対応が十分にできない問題がある。すなわち、装置配置の模式図である図５に示すように、動物の足Ｆは括り輪１５の中心に入ることは稀であり、前後左右の端付近のランダムな位置となる。図示した括りワイヤ１４の配置から判るように、括りワイヤ１４の縒り戻し１９に設けた仮固定点を中心に扇状な振れ領域が形成され、突出体１３の位置でもある程度の振れを許容する必要性が、現場では生じている。この振れは、括り輪１５側から動作が伝わって生じる振れであり、ばね体１２の伸長時にばね体１２側から生じる振れではない。従って、突出体１２の直進性を確保しつつ、括り輪１５側からの振れに対応できることが必要となっている。しかし、従来の特許文献２では中芯等の剛性が強すぎて対応できず、他方、特許文献４では逆に導棒の動きが制限を受けないため、必要な位置に導棒が無くて、ばね体が曲がり過ぎて必要以上に振れてしまうという問題がある。
【０００８】
本発明は上述した問題に鑑みてなされたもので、その目的とするところは、括り輪の絞り動作の確実性を高め、また、突出体の直進性を確保でき、しかも括り輪のどの位置に動物の足が入っても対応可能でありながら、括り終わりの際に括りワイヤを装置本体から分離できる、括りワイヤ分離機構を提供することである。
【課題を解決するための手段】
【０００９】
上記目的を達成するため、請求項１に係る括りワイヤ分離機構は、
筒本体内に圧縮コイルばねのばね体を設け、前記ばね体の一端に設置する突出体を、前記ばね体の伸長時の復元力によって軸線方向に突き出し、前記突出体の突出動作によって括りワイヤの括り輪を絞る方式の動物捕獲装置であり、前記筒本体の外部に設けられる前記括りワイヤを前記動物捕獲装置から動物捕獲時に分離させる括りワイヤ分離機構において、
前記括りワイヤを挿通させ滑動可能とする滑動部を備え、後記案内部材に対して位置決め及び回動可能かつ抜き差し可能な着脱自在状態に係合するセット部を備える分離部材と、
前記セット部と係合可能な係合部を上端に備え、前記突出体に対して着脱自在であり、前記筒本体及びばね体の軸心位置に設けられ、長さが前記括り輪の設置径と同程度から２倍の間の長さに設定される案内部材とで、構成される。
【００１０】
また、請求項２に係る括りワイヤ分離機構は、上記請求項１に係る括りワイヤ分離機構に対して、
上記分離部材の滑動部がローラ構造であり、上記セット部が前記滑動部の下端に棒状に形成されて上記係合部に対して挿入され、上記案内部材がパイプ材であり、前記案内部材の上端部分が鍔状に形成されて上記突出体の中心孔にて係止され、上記係合部が前記案内部材のパイプ内側部分に形成される。
【００１１】
また、請求項３に係る括りワイヤ分離機構は、上記請求項１又は２に係る括りワイヤ分離機構に対して、
上記セット部が９０度乃至１８０度の角度に曲げられる棒体であり、上記筒本体が鉛直線に対して前記曲げ角度に設置される。
【００１２】
また、請求項４に係る括りワイヤ分離機構は、上記請求項１，２又は３に係る括りワイヤ分離機構に対して、
上記案内部材の長さの異なる複数個が用意され、上記括り輪の設置径に対応する長さが選択使用される。
【発明の効果】
【００１３】
上述の請求項１乃至４の括りワイヤ分離機構であれば、動物捕獲時の突出体の突出動作による括り輪の絞り動作の確実性を高め、またその際の、突出体の直進性を確保できる。しかも、括り輪のどの位置に動物の足が入っても、案内部材の振れ動作によって対応可能となる。そして、括り終わりの際に括りワイヤを装置本体から分離できる。また、請求項３の括りワイヤ分離機構であれば、筒本体等を角度を付けて横置きした場合にも利用できる。そして、請求項４であれば、括り輪の設置径を変化させて動物の種類に対応させる場合でも、簡単に対応可能となる。
【発明を実施するための最良の形態】
【００１４】
以下に、請求項２に対応する括りワイヤ分離機構の第１実施形態を、図面を参照して説明する。図１は、捕獲装置１０に第１実施形態の括りワイヤ分離機構を設けた断面図であり、図2イが図１中の矢視図である。第１実施形態の括りワイヤ分離機構は、分離部材である分離体１と、案内部材である案内体２とで構成される。また捕獲装置１０は、筒本体１１と、圧縮コイルばねのばね体１２と、突出体１３と、括りワイヤ１４及び括り輪１５とを基本構成とする一般的な捕獲装置である。突出体１３は、ばね体１２の一端に設置され、ばね体１２の伸長時の復元力によって軸線方向に突き出される突出動作によって括りワイヤ１４の括り輪１５を絞る方式である。
【００１５】
分離体１は滑動部３とセット部４とで構成される。滑動部３は、括りワイヤ１４が挿通されかつ滑動可能とされるように、ローラ構造となっている。このローラ構造は、図１及び図2イに示すように、外周面が凹面のローラ３ａと、ローラ３ａを回動自在に支持するローラ支持板３ｂとの構成であり、括りワイヤ１４がローラ３ａ上を滑らかに滑動できる。セット部４は、滑動部３の下端において、案内体２に対して位置決め及び回動可能かつ抜き差し可能な着脱自在状態に係合できる径及び長さの棒状に形成される。セット部４の外周面４ａは、平滑面に仕上げられ案内体２との隙間管理によって着脱具合を調整される。また、平滑仕上げに限定されずに、外周面４ａにローレット目，雄ねじ面等の適度の凹凸面を形成して着脱具合を調整可能とすることもできる。なお、滑動部３とセット部４の使用材料は、使用強度及びコスト面を考慮して金属材料及び合成樹脂材が選択されるが、木材でも強度等が確保されれば対象となる。以下に説明する他の構成部材の材料も同様であり説明を省略する。
【００１６】
案内体２はパイプ材であり、長さを括り輪１５の設置径Ｄと同程度とし、外径を筒本体１１の内径の略３分の１程度とする。案内体２の長さは、設置径Ｄと同じ長さに限定する必要は無く、その２倍程度までの間の任意長さに設定することもできる。これは、設置径Ｄの括り輪１５中に動物の足が入った時、足の太さによっては、括り代の広狭が生じる場合がある。括り代が広ければ、広い分長い間、直進性を確保するため、案内体２の長さを十分に確保する必要があるためである。例えば猪の場合、設置径Ｄの1.5倍がテスト結果として良好であった。また、案内体２の外径寸法は、ばね体１２伸張時の突出体１３の直進性及び括り輪１５方向から来る振れに対応できる余裕間隔を確保するため決められるものであり、前述の略３分の１に限定されることなく、ばね体１２の線径，内径等に対応させて適宜変更可能である。括り輪１５の設置径Ｄは、猪，猿程度の動物が２０cmであり、熊等の大型動物が２５cmである。参考までに、筒本体１１及び突出体１３の設置時の組立長さは、２２cm程度である。
【００１７】
係合部５は、案内体２の上端部分に設けられ、パイプ材の上端５ａが鍔状に形成されて、突出体１３の中心孔１３ａにて着脱自在に係止可能され、案内体２全体を筒本体１１及びばね体１２の軸心位置に設ける。また、係合部５のパイプ内周面５ｂはセット部４と係合可能な径に形成される。この内周面５ｂも上述のセット部４の外周面４ａと同様に、表面加工の程度によって着脱具合を調整できる。この係合部５とセット部４との係合状態は、セット部４において述べた位置決め及び回動可能かつ抜き差し可能な着脱自在状態となる。なお、案内体２の肉厚は強度面を考慮して採用される。
【００１８】
なお、図１中の符号１６がばね解除部であり、１７はセンサ部であり、１８が絞り具である。これらは実施形態の一例を示すもので、一般に多種多様な構造が採用されており、本発明の特徴の一つである括りワイヤ１４が筒本体１１等の外部に設けられる構造に対応できるばね解除等の技術であれば、第１実施形態に示されるばね解除・センサ等の技術に限定されずに、他のばね解除等の技術も採用される。
【００１９】
次に、第１実施形態の動作について説明する。先ず、図３イに示すように、捕獲装置１０を設置時においては、括り輪１５の絞り具１８に可能な限り分離体１を近接させて、筒本体１１を縦置きとして垂直に設置する。突出体１３に設けられた案内体２に分離体１を設置することで準備が終わる。捕獲装置１０自体の準備は一般的な内容であり省略する。括りワイヤ１４は長さＬの位置に縒り戻し１９を設け、縒り戻し１９にて仮固定し、更に縒り戻し１９から延長ワイヤ２０が延伸されて木立Ｗ等に本固定される。長さＬ位置にて仮固定されるのは、突出体１３を垂直に突き出させるのに最適の固定位置だからであり、従来から一般に採用されている仮固定手段である。
【００２０】
次に、図３ロに示すように、動物がセンサ部１７に掛り、突出体１３の突き出し動作中となる。このとき案内体２の長さが確保されているので、伸長するばね体１２の直進性が確保され、分離体１では括りワイヤ１４が滑動部を滑って括り輪１５を確実に絞る。また、図５にて示された、動物の足Ｆが括り輪１５の端部分に掛った場合であっても、案内体２は筒本体１１及びばね体１２の内部において余裕があって、筒本体上端１１ａを中心に振れることができるため、括り輪１５からの振れに対して対応が可能となる。更に、分離体１のセット部４が案内体２に対して回動可能となっており、ばね体１２が伸長する際のばね体１２自体の回動によって、案内体２を設けた突出体１３の回動現象が生じても十分に対応でき、分離体１が影響を受けることがない。
【００２１】
最後に、図３ハに示すように、括り輪１５が動物の足Ｆを括り終わる。このとき、捕獲された動物は通常暴れ始めるため、暴れた衝撃によって、分離体１が案内体２から分離して、括りワイヤ１４が捕獲装置１０から完全に分離し、筒本体１１及びばね体１２が損傷することなく再使用可能となる。また、括りワイヤ１４は、縒り戻し１９の仮固定も外れ、延長ワイヤ２０を介して本固定によって確保される。参考までに、センサ部１７に動物が掛った時から、足を括り終わるまでの時間は、猪の場合で1乃至２秒程度であり、他の動物では３，４秒の場合もある。
【００２２】
捕獲装置１０の基本構成である筒本体１１，ばね体１２等は、図１に示す一般的構成に限定されることなく、例えば、特許第３３２１７５１号公報に示されるばね体が複数個設けられて並列に構成される等、他の各種構成にも利用可能である。また、ばね体１２内に括りワイヤ１４を挿通する方式の従来型捕獲装置でも、突出体に本機構を追加設置し、筒本体１１の外部に括りワイヤ１４を設置するように改造すれば、利用可能となる。
【００２３】
次に、請求項１に対応する第２実施形態としては、第１実施形態に対して分離体６の滑動部７が、図２ロに示すように、環状の軸受材を設けた滑動部７とし、括りワイヤ１４の滑動を確保する構成である。軸受材としては各種金属及び合成樹脂材を採用する（プラスチック材料選択のポイント、１８３頁乃至１９３頁、編者，山口章三郎、発行，日本規格協会、１９９１年３月２０日新版第１刷）・（すべり軸受、１８頁乃至２２頁，４３頁乃至４７頁、編者，大豊工業株式会社軸受研究グループ、発行，工業調査会、１９９８年７月２０日初版第１刷）。また、図示を省略するが、案内体もパイプ体に限定せず、円柱等の長尺体とし、強度が確保されれば、上端部分に係合部５を設ける構成が採用される。
【００２４】
請求項３に対応する第３実施形態は、図４に示すように、筒本体１１が鉛直線Ｅに対して横置き角度αの傾きに横置き設置する方式である。横置き角度αは９０度乃至１８０度未満となる。１８０度の場合は上述の第１実施形態と同じになる。分離体８の滑動部７は縦向きであるが、セット部９が横置き角度αに対応して略９０度から１８０度の角度に曲げられる構造である。図４では、セット部９の角度αが固定角度に形成されているが、固定角度に限定されずに、曲げ部９ａだけが可撓性材料となって任意角度に自在に曲げられるだけでなく、曲げた任意角度が保持される構成とすることもできる。その他、図示を省略するが、曲げ部９ａがピン構造等の機械的構成として自在に曲げられるように形成されることもできる。また、角度αが９０度の場合、滑動部７をローラ構造にする必要は無く、環状軸受材で十分対応できる。これは、括り輪１５面に対して平行方向へ突出体１３が突出するためであり、αの角度が増加すると、括り輪面に対して垂直方向へ近づくためローラ構造が有効となってくる。第３実施形態の動作については、上述の第１実施形態とほぼ同じため詳細な説明を省略する。
【００２５】
請求項４に対応する第４実施形態は、図示を省略するが、案内体２が長さの異なる複数個を用意され選択使用される。この長さは、動物の大きさによって異なる括り輪１５の設置径Ｄを基準に、同じ長さから２倍の長さまでの間の長さを適宜採用する。例えば設置径は、猿，猪が２０cmであり、熊は２５cmであり、一つの分離機構によって各動物に適切に対応できる。
【産業上の利用可能性】
【００２６】
本発明は、ばね体の復元力によって括り輪を絞る動物捕獲装置であって、括りワイヤが装置本体の外側に配設される場合に利用され、動物を捕獲するため括り輪が絞り終わった際に括りワイヤが装置本体から分離させる場合に設置される。
【図面の簡単な説明】
【００２７】
【図１】第１実施形態の括りワイヤ分離機構を利用する捕獲装置の断面を示す断面図である。
【図２】イは図１中の矢印方向からの一部断面図であり、ロは第２実施形態の分離体の正面図である。
【図３】イは第１実施形態の設置状態の模式図であり、ロは同じく突出体の突出動作中の模式図であり、ハは括り終わった状態の模式図である。
【図４】第３実施形態の筒本体が横置き方式の分離体及び筒本体を示す説明図である。
【図５】括り輪の端部分に動物の足が掛る場合を示す説明模式図である。
【符号の説明】
【００２８】
１、６、８  分離体  ２  案内体  ３、７  滑動部  ３ａ  ローラ  ３ｂ  ローラ支持板  ４、９  セット部  ５  係合部  １０  捕獲装置  １１  筒本体  １２  ばね体  １３  突出体  １４  括りワイヤ  １５  括り輪  １６  ばね解除部  １７  センサ部  １８  絞り具  １９  縒り戻し  ２０  延長ワイヤ
【図１】
2006101796.tif 000003
【図２】
2006101796.tif 000004
【図３】
2006101796.tif 000005
【図４】
2006101796.tif 000006
【図５】
2006101796.tif 000007